(57)【特許請求の範囲】
【請求項１】
送信コマンドを電源断後にも記憶する記憶手段と、スキャナに読取り用原稿が用意されていることを検出する原稿検出手段と、電源復帰時にスキャナに読取り用原稿が用意されているとき、記憶している送信コマンドが特定の送信コマンドであれば、その送信コマンドを保持し、特定の送信コマンドでなければ、その送信コマンドを削除すると共に原稿を排出する制御手段とを備えたことを特徴とするファクシミリ装置。
【請求項２】
前記特定の送信コマンドは、時刻指定送信コマンドであることを特徴とする請求項１記載のファクシミリ装置。
【請求項３】
前記特定の送信コマンドは、ポーリングコマンドであることを特徴とする請求項１記載のファクシミリ装置。
【発明の詳細な説明】
【０００１】
【発明の属する技術分野】
本発明は、スキャナに原稿を用意しておき指定時刻に送信するファクシミリ装置に係り、特に、待機中に停電があっても復旧後に再設定しなくてよいファクシミリ装置に関するものである。
【０００２】
【従来の技術】
ファクシミリ装置には、スキャナに用意されている読取り用原稿を直ちに読み取って送信する通常送信の機能に加え、スキャナに読取り用原稿が用意（セット）された状態で待機し、指定した時刻になるとその読取り用原稿を読み取って送信する機能を持つものがある。このような機能は、時刻指定送信やポーリングとして知られている。これらの機能を持つファクシミリ装置では、送信コマンドとして前記通常送信のコマンドの他にスキャナコマンドを使用する。スキャナコマンドには、時刻指定送信コマンド、ポーリングコマンドなどが含まれる。
【０００３】
【発明が解決しようとする課題】
ところで、ファクシミリ装置が送信動作中に停電になった場合、送信が未完了のままスキャナ内に原稿が残ることになる。その後、電源復帰したときファクシミリ装置はリセットされるが、このときスキャナ内の原稿は排出される。この原稿をオペレータがセットし直し、再度、送信を行うことになる。
【０００４】
しかし、時刻指定送信やポーリングのために待機している時に停電になると、送信コマンドが消失してしまい、その後、電源復帰したときファクシミリ装置がリセットされるので、時刻指定送信やポーリングは実行されないことになる。このため、オペレータは、スキャナに読取り用原稿を再度セットし、これらの送信コマンドを再入力する必要がある。
【０００５】
そこで、本発明の目的は、上記課題を解決し、待機中に停電があっても復旧後に再設定しなくてよいファクシミリ装置を提供することにある。
【０００６】
【課題を解決するための手段】
上記目的を達成するために本発明は、送信コマンドを電源断後にも記憶する記憶手段と、スキャナに読取り用原稿が用意されていることを検出する原稿検出手段と、電源復帰時にスキャナに読取り用原稿が用意されているとき、記憶している送信コマンドが特定の送信コマンドであれば、その送信コマンドを保持し、特定の送信コマンドでなければ、その送信コマンドを削除すると共に原稿を排出する制御手段とを備えたものである。
【０００７】
前記特定の送信コマンドは、時刻指定送信コマンドであってもよい。
【０００８】
前記特定の送信コマンドは、ポーリングコマンドであってもよい。
【０００９】
【発明の実施の形態】
以下、本発明の一実施形態を添付図面に基づいて詳述する。図１には、本発明に係るファクシミリ装置の電源復帰時動作の流れが示されている。図２には、ファクシミリ装置の回路構成が示されている。図３には、ファクシミリ装置のスキャナ部分の構造が示されている。
【００１０】
図２に示されるように、ファクシミリ装置は、信号処理部１、ＲＯＭ２、ＲＡＭ３、読取部４、記録部５、操作部６、表示部７、モデム８、回線制御部９、自動発呼部１０、画像メモリ１１、コマンドメモリ１２から構成されている。
【００１１】
信号処理部１は、ＣＰＵからなりハードウェア各部を制御すると共に、ファクシミリに必要な画像読取り、符号化・複号化、符号変換、通信手順等のプログラムを実行することができる。また、電源が投入されたときには、本発明に係る電源復帰時動作のプログラムを実行することができる。
【００１２】
ＲＯＭ２は、信号処理部１で実行するプログラムを記憶するものである。
【００１３】
ＲＡＭ３は、プログラム実行時に発生する一時的なデータを記憶するものである。
【００１４】
読取部４は、ＣＣＤ等の撮像素子で原稿を読み取り、白黒２値の画像データを生成することができる。
【００１５】
記録部５は、電子写真方式等によるプリンタを備え、他のファクシミリ装置から受信した画像データをプリントすることができる。
【００１６】
操作部６は、数字を入力するテンキー、短縮ダイヤル操作を行う短縮ダイヤルキー、ワンタッチ操作を行うワンタッチキー、各種ファンクションキー、スタートキー等を備えている。これらテンキー、短縮ダイヤルキー、ワンタッチキーは、時刻指定送信やポーリングのための宛先電話番号入力、指定時刻入力に使用される。
【００１７】
表示部７は、ＬＣＤ表示器等の表示器を備え、本ファクシミリ装置の動作状態、画像データ、操作指示、入力中データ等の表示を行うことができる。
【００１８】
モデム８は、画像データをアナログ回線で送受するために変復調するものである。
【００１９】
回線制御部９は、アナログ回線の閉結・切断を行うものである。
【００２０】
自動発呼部１０は、信号処理部１から指定された電話番号を自動発呼するものである。
【００２１】
画像メモリ１１は、ＤＲＡＭからなり、画像データを記憶するものである。
【００２２】
コマンドメモリ１２は、不揮発性メモリからなり、送信コマンドとして、通常送信のコマンド、時刻指定送信コマンド、ポーリングコマンドを格納し、これらの送信コマンドを電源断後にも記憶することができる。
【００２３】
なお、図示しないがこのファクシミリ装置には、停電中も動作する時計モジュールが設けられている。
【００２４】
図３に示されるように、ファクシミリ装置には操作パネル３１の後部に読取り用原稿Ｐを保持するトレイ３２が傾斜させて設けられ、このトレイ３２の前縁は、操作パネル３１の裏側にあるセパレートローラ３３に臨ませてある。セパレートローラ３３に対向させてセパレートパッド３４が設けられている。これらセパレートローラ３３及びセパレートパッド３４は紙よりも大きい摩擦力を有し、セパレートローラ３３が回転するとき、トレイ３２上の複数の読取り用原稿Ｐから最下部の１枚だけが取り出されて前方の密着イメージセンサ３５へ送り出すものである。密着イメージセンサ３５に対向させて圧着ローラ３６が設けられている。圧着ローラ３６は、読取り用原稿Ｐを密着イメージセンサ３５に圧着させて送り出すものである。操作パネルの前部には、密着イメージセンサ３５を経由した読取り済み原稿が排出される原稿排出口３７が設けられている。
【００２５】
トレイ３２の前縁近傍に読取り用原稿Ｐの有無を検出するドキュメントセンサＤＳ１が設けられている。また、セパレートローラ３３と密着イメージセンサ３５との間に読取り用原稿Ｐの有無を検出するドキュメントセンサＤＳ２が設けられている。これらドキュメントセンサＤＳ１，ＤＳ２は、スキャナに読取り用原稿Ｐがセットされていることを検出する原稿検出手段を構成するものである。即ち、読取り用原稿Ｐがセットされた状態とは、読取り用原稿Ｐの１枚がセパレートローラ３３を乗り越えて密着イメージセンサ３５の直前まで届いている状態であり、ドキュメントセンサＤＳ１，ＤＳ２の両方がオンであることによって判定される。
【００２６】
図１を用いて電源復帰時の動作を説明する。
【００２７】
電源が投入されると、まず、スキャナに読取り用原稿Ｐがセットされているかどうかを調べる（Ｓ１）。具体的には、ドキュメントセンサＤＳ１，ＤＳ２の状態を読み取り、両方がオンであれば読取り用原稿Ｐがセットされている（原稿有り）と判定する。原稿がなければコマンドメモリ１２をクリアし（Ｓ２）、電源復帰時動作を終了して通常動作に入る。原稿有りならば、コマンドメモリ１２内の送信コマンドを調べる（Ｓ３）。送信コマンドが時刻指定送信コマンド、ポーリングコマンド等の特定のコマンドであれば、何もしないで電源復帰時動作を終了する。これにより、特定の送信コマンドは保持されることになり、その後の通常動作において実行が可能となる。送信コマンドが前記特定の送信コマンド以外、例えば通常送信コマンドであれば、コマンドメモリ１２をクリアし、スキャナに残っている読取り用原稿Ｐを排出する（Ｓ４）。
【００２８】
本発明のファクシミリ装置は、コマンドが不揮発性のコマンドメモリ１２に記憶されており、コマンドの実行中又は待機中に停電し、その後、電源復帰した場合、スキャナ中の読取り用原稿の有無及びコマンドの種別によってコマンドメモリ１２に記憶されているコマンドを保持するか廃棄するかが決定される。スキャナに読取り用原稿をセットした状態で待機するスキャナコマンドは保持されることになるので、コマンドの再入力や読取り用原稿の再セットが不要となる。従って、時刻指定送信やポーリングの待機中に停電となっても電源復帰後は待機が継続され、指定の時刻には無停電の場合と同様に時刻指定送信やポーリングが実行されることになる。また、通常送信の実行中に停電し、その後、電源復帰した場合、その送信コマンドはクリアされ、読取り用原稿Ｐは排出される。
【００２９】
【発明の効果】
本発明は次の如き優れた効果を発揮する。
【００３０】
（１）停電の復旧後にコマンドを再入力しなくてよい。
【００３１】
（２）停電の復旧後に読取り用原稿を再セットしなくてよい。
【図面の簡単な説明】
【図１】本発明の一実施形態を示すファクシミリ装置の電源復帰時動作の流れ図である。
【図２】図１の動作を実行するファクシミリ装置の回路構成図である。
【図３】図２のファクシミリ装置のスキャナ部分の構造図である。
【符号の説明】
１  信号処理部
２  ＲＯＭ
３  ＲＡＭ
４  読取部
５  記録部
６  操作部
７  表示部
８  モデム
９  回線制御部
１０  自動発呼部
１１  画像メモリ
１２  コマンドメモリ
Ｓ１  読取り用原稿の有無を検出するステップ
Ｓ３  特定のコマンドを判別するステップ
Ｓ４  送信コマンドを削除し原稿を排出するステップ
【図１】
0003713927.tif 000002
【図２】
0003713927.tif 000003
【図３】
0003713927.tif 000004